(57)【要約】システムは、ダウンリンク伝送機ユニット、ダウンリンクスケジューラユニット、およびアップリンク受信機ユニットを含む。ユニットのうちの少なくとも１つは、ユニットの他のものから物理的に別個の場所に位置し、ユニットのうちの少なくとも１つは、バックホールを経由してユニットの他のものと通信する。コントローラは、バックホールによってもたらされる任意の通信遅延に従って、ハイブリッド自動反復要求（ＨＡＲＱ）プロセスの数を配分する。
2016518746.tif 000002
【特許請求の範囲】
【請求項１】
ダウンリンク伝送機ユニットと、
ダウンリンクスケジューラユニットと、
アップリンク受信機ユニットであって、前記ユニットのうちの少なくとも１つは、前記ユニットの他のものから物理的に別個の場所に位置し、前記ユニットのうちの前記少なくとも１つは、バックホールを経由して、前記ユニットの他のものと通信する、アップリンク受信機ユニットと、
前記バックホールによってもたらされる任意の通信遅延に従って、ハイブリッド自動反復要求（ＨＡＲＱ）プロセスの数を配分するコントローラと
を備えている、システム。
【請求項２】
前記ダウンリンク伝送機ユニットは、第１のネットワークノードに位置し、
前記ダウンリンクスケジューラユニットは、前記第１のネットワークノードから物理的に分離された第２のネットワークノードに位置し、
前記アップリンク受信機ユニットは、前記第１のネットワークノードおよび第２のネットワークノードから物理的に分離された第３のネットワークノードに位置している、
請求項１に記載のシステム。
【請求項３】
各ノードは、前記バックホールを経由して、少なくとも１つの他のノードと通信する、請求項２に記載のシステム。
【請求項４】
各ノードは、前記バックホールを経由して、前記他のノードの各々と通信する、請求項２に記載のシステム。
【請求項５】
前記コントローラは、前記バックホールによってもたらされる任意の通信遅延にかかわらず、ＨＡＲＱプロセスの第１の数を配分し、前記バックホールによってもたらされる任意の通信遅延に従って、ＨＡＲＱプロセスの第２の数を配分する、請求項１に記載のシステム。
【請求項６】
前記コントローラは、プロセスのためのブロックの最初の伝送から前記プロセスのためのブロックの次の伝送までの経過時間を測定することによって、ＨＡＲＱプロセスの前記数を配分する、請求項１に記載のシステム。
【請求項７】
前記コントローラは、前記プロセスに配分された時間によって、前記プロセスのための前記最初の伝送から前記第２の伝送までの前記経過時間を割ることによって、前記ＨＡＲＱプロセスの数を配分する、請求項６に記載のシステム。
【請求項８】
前記コントローラは、プロセスの少なくとも最小の正常数を配分する、請求項７に記載のシステム。
【請求項９】
前記伝送機ユニットは、ＨＡＲＱプロセス指数とともにプロセスのためのブロックを伝送し、前記ＨＡＲＱプロセス指数は、前記ブロックに関連付けられている前記プロセスを識別する、請求項１に記載のシステム。
【請求項１０】
前記ＨＡＲＱプロセス指数は、暗示的時間関連付けによって、前記プロセスを識別する、請求項９に記載のシステム。
【請求項１１】
前記ＨＡＲＱプロセス指数は、増分関連付けによって、前記プロセスを識別する、請求項９に記載のシステム。
【請求項１２】
ダウンリンク伝送機ユニット、ダウンリンクスケジューラユニット、およびアップリンク受信機ユニットを含むシステムにおけるハイブリッド自動反復要求（ＨＡＲＱ）プロセスの数を配分する方法であって、前記ユニットのうちの少なくとも１つは、前記ユニットの他のものから物理的に別個の場所に位置し、前記ユニットのうちの前記少なくとも１つは、バックホールを経由して、前記ユニットの他のものと通信し、前記方法は、
ＨＡＲＱプロセスのためのブロックを再伝送することにおいて、前記バックホールによってもたらされる遅延を決定することと、
前記遅延に基づいて、追加のプロセスを配分することと
を含む、方法。
【請求項１３】
前記決定することは、プロセスのためのブロックの最初の伝送から前記プロセスのためのブロックの次の伝送までの経過時間を測定することを含む、請求項１に記載の方法。
【請求項１４】
前記プロセスに配分された時間によって割られた、前記プロセスのための前記最初の伝送から前記第２の伝送までの前記経過時間に少なくとも等しいＨＡＲＱプロセスの数を配分することをさらに含む、請求項１３に記載の方法。
【請求項１５】
配分されたＨＡＲＱプロセスの前記数は、少なくとも最小の正常数である、請求項１４に記載の方法。
【請求項１６】
各ブロックとともに、そのブロックに関連付けられている前記プロセスを識別するＨＡＲＱプロセス指数を伝送することをさらに含む、請求項１２に記載のシステム。
【請求項１７】
前記ＨＡＲＱプロセス指数は、暗示的時間関連付けによって、前記プロセスを識別する、請求項１６に記載の方法。
【請求項１８】
前記ＨＡＲＱプロセス指数は、増分関連付けによって、前記プロセスを識別する、請求項１６に記載の方法。
【発明の詳細な説明】
【技術分野】
【０００１】
（関連出願の引用）
本願は、米国特許法§１１９（ｅ）に基づき、米国仮出願第６１／７８４，３９５号（２０１３年３月１４日出願、名称「Ｍｅｔｈｏｄ  ａｎｄ  Ａｐｐａｒａｔｕｓ  ｔｏ  Ａｄａｐｔ  ｔｈｅ  Ｎｕｍｂｅｒ  ｏｆ  ＨＡＲＱ  Ｐｒｏｃｅｓｓｅｓ  ｉｎ  ａ  Ｄｉｓｔｒｉｂｕｔｅｄ  Ｎｅｔｗｏｒｋ  Ｔｏｐｏｌｏｇｙ」）、第６１／８２４，７６２号（２０１３年３月１７日出願、同名称）および第６１／８５７，０５９号（２０１３年７月２２日出願、同名称）に対する優先権の利益を主張し、上記出願は、その全体が、参照により本明細書に引用される。
【０００２】
（発明の分野）
本発明は、概して、セルラー通信の分野に関し、より具体的には、ネットワークコンポーネント間のバックホール遅延を補償するために、分散型ネットワークトポロジにおけるハイブリッド自動反復要求（ＨＡＲＱ）プロセスの数を適応させる方法および装置に関する。
【背景技術】
【０００３】
デジタル通信システムの性能を改善するために、再伝送プロトコルが、多くの場合、使用される。デジタル情報は、多くの場合、ブロックまたはパケットにグループ化される。データのブロックの受信の成功は、例えば、巡回冗長検査（ＣＲＣ）を使用することによって、受信機によって検出されることができる。ブロックの受信の失敗は、いくつかの状況またはシステムでは、受信機によって無視されることができる。他の状況またはシステムでは、受信機は、例えば、ＡＣＫ／ＮＡＣＫを使用して、伝送機にブロックの受信の結果を知らせ得、ＡＣＫ（肯定応答）は、ブロックが正常に受信されたことを示し、ＮＡＣＫ（否定応答）は、ブロックが正常に受信されなかったことを示す。例えば、ＬＴＥ  ＲＬＣ（無線リンク制御）が、３つの異なるデータ伝送モード、すなわち、透過モード（ＴＭ）、非応答モード（ＵＭ）、および応答モード（ＡＭ）を提供する。ＡＭで伝送されたＲＬＣブロックのみが、受信ＲＬＣによって応答され、伝送ＲＬＣによって再伝送されることができ。他の２つのモードに対して、不正確に受信されたＲＬＣブロックは、単に破棄される。
【０００４】
多くのデジタル通信システムが、階層モデル（例えば、ＯＳＩモデルまたはＴＣＰ／ＩＰモデル）に従う。階層システムでは、複数の層において、再伝送プロトコルが存在し得る。データは、「伝送機」から「受信機」に伝送されることになる。また、「受信機」と「伝送機」との間の逆方向リンクも、例えば、ＡＣＫ／ＮＡＣＫをフィードバックするために、必要とされることに留意されたい。階層システムは、例えば、層１（Ｌ１）、層２（Ｌ２）、および層３（Ｌ３）を含む。Ｌ２とＬ３との両方は、再伝送プロトコルを使用する。Ｌ２受信機は、Ｌ２ブロックの受信成功／失敗時、ＡＣＫ／ＮＡＣＫでＬ２伝送機に応答する。同様に、Ｌ３受信機は、Ｌ３ブロックの受信成功／失敗時、ＡＣＫ／ＮＡＣＫでＬ３伝送機に応答する。必ずしも、Ｌ２ブロックとＬ３ブロックとの間の直接対応が存在しない、すなわち、Ｌ２ブロックが、複数のＬ３ブロックまたは１つのＬ３ブロックの一部のみを搬送することができることに留意されたい。
【０００５】
本開示は、最低レベル再伝送プロトコル（例えば、Ｌ２再伝送プロトコル）が、ソフトコンバイニングを伴うハイブリッド自動反復要求（ＨＡＲＱ）を使用する例、ならびに他の実施例に適用される。単純性のために、かつ一般性の損失を伴わずに、本開示は、Ｌ２がソフトコンバイニングを伴うＨＡＲＱプロトコルを使用する例とともに説明される。単純性のために、かつ一般性の損失を伴わずに、本開示は、再伝送プロトコルを使用するＬ２の上方にある次の層がＬ３である例とともに説明される。この選択は、ＬＴＥ再伝送プロトコルに合致し、Ｌ２（ＭＡＣ）は、ソフトコンバイニングを伴うＨＡＲＱを使用し、Ｌ３（ＲＬＣ）は、ＡＭのデータのための再伝送を使用する。
【０００６】
ソフトコンバイニングを伴うＬ２  ＨＡＲＱの実施例が、下記に説明される。
受信機Ｌ２は、Ｌ２ブロックの伝送の後、ＡＣＫ／ＮＡＣＫで、既知の時間遅延で応答する。
ａ．ＬＴＥ  ＦＤＤダウンリンクでは、例えば、ＵＥは、対応するトランスポートブロックの伝送の後、ＡＣＫ／ＮＡＣＫで、４つのサブフレームで応答するはずである（ＰＵＣＣＨまたはＰＵＳＣＨ上で）。
ｂ．ＬＴＥ  ＦＤＤアップリンクでは、例えば、ｅＮｏｄｅＢは、対応するＬ２トランスポートブロックの伝送の後、ＡＣＫ／ＮＡＣＫで、４つのサブフレームで応答するはずである（明示的にＰＨＩＣＨ上で、または暗示的にＰＤＣＣＨ上で）。
ｃ．ＬＴＥ  ＴＤＤでは、例えば、対応トランスポートブロックの伝送の後のＡＣＫ／ＮＡＣＫの時間遅延は、ＴＤＤアップリンク／ダウンリンク構成に依存する。その構成は、既知であるため、時間遅延はまた、推測されることができる。
受信機Ｌ２が、ＮＡＣＫで応答する（すなわち、Ｌ２ブロックが不正確に受信された）場合、受信機は、そのソフトビットメモリ内に不正確に受信されたブロックのソフトビットを維持する。
ｄ．記憶されたソフトビットは、受信の成功の確率を改善するために、後続の再伝送と柔軟に組み合わせられることができる。
ｅ．Ｌ２ブロックが、正確に受信される場合、メモリ内に対応するソフトビットを維持する必要性は存在しない。
複数の並行ＨＡＲＱプロセスが、使用される。
ｆ．Ｌ２ブロックの伝送が、１つのＨＡＲＱプロセスに接続される。
ｇ．Ｌ２ブロックの再伝送が、ブロックの最初の伝送と同一のＨＡＲＱプロセスを使用して、行われる必要がある。
ｈ．受信機は、各ＨＡＲＱプロセスに対してソフトビットメモリバッファを維持する。
ｉ．ＨＡＲＱプロセスにおける再伝送が、受信機において、同一のＨＡＲＱプロセスに対するメモリバッファ内のソフトビットと柔軟に組み合わせられる。
ｊ．異なるＨＡＲＱプロセスは、異なるＨＡＲＱプロセス指数を通して、区別されることができる。
Ｌ２伝送機は、
ｋ．それが、同一のＨＡＲＱプロセスの前のＬ２ブロックが正確に受信されたことを把握／認識した場合、
ｌ．再伝送の最大数が、同一のＨＡＲＱプロセスの前のＬ２ブロックで到達した場合、
新しいＬ２ブロックをＨＡＲＱプロセスにおいて伝送し得る。
Ｌ２受信機は、新しいＬ２ブロックのソフトビットに同一のＨＡＲＱプロセスの前のＬ２ブロックのソフトビットを上書きさせ得る。
【０００７】
いくつかの例示的システムでは、複数のブロック（例えば、Ｌ２ブロック）は、同時に、伝送機から受信機に伝送されることができ、受信機は、複数の対応するＡＣＫ／ＮＡＣＫまたはそれらの組み合わせで応答する。一実施例では、これらの複数のブロックおよび対応する複数のＡＣＫ／ＮＡＣＫ（または、それらの組み合わせ）は、同一のＨＡＲＱプロセスに接続され、個々のブロックは、ＨＡＲＱプロセスのサブプロセスに接続されると見なされ得る。別の実施例では、これらの複数のブロックおよび対応する複数のＡＣＫ／ＮＡＣＫ（または、それらの組み合わせ）は、異なるＨＡＲＱプロセスに接続される。これらの場合の両方は、本開示によって対象とされる。しかしながら、単純性および読み取りやすさのために、ＨＡＲＱプロセスおよび時間あたりの単一のブロックを伴う場合が、本明細書において説明される。
【０００８】
バンドリングを伴ういくつかのＴＤ−ＬＴＥダウンリンク構成等のいくつかの例示的システムでは、複数のＨＡＲＱプロセスのＡＣＫ／ＮＡＣＫが、単一のＡＣＫ／ＮＡＣＫにバンドリングされる。これらの場合もまた、バンドリングされたＡＣＫ／ＮＡＣＫの受信機が、個々のＨＡＲＱプロセスのＡＣＫ／ＮＡＣＫのいくつかの結論をバンドリングされたＡＣＫ／ＮＡＣＫから引き出し、それによって、再伝送を要求または選定することも、そうしないこともできるので、本開示によって対象とされる。
【０００９】
連続的な伝送ＡＣＫ／ＮＡＣＫ伝送または再伝送サイクル間に、有限量の時間が要求される。この時間の間、ＨＡＲＱプロセスは、これが、ＨＡＲＱプロセスメモリバッファ内のソフトビットを上書きする危険を招くであろうため、別の伝送のために使用されない。したがって、データブロックの連続的な伝送を可能にするために、並行して実行し得る、複数のＨＡＲＱプロセスが、必要とされる。ＦＤＤ  ＬＴＥでは、例えば、ダウンリンクとアップリンクとの両方は、ＵＥあたり８つのＨＡＲＱプロセスを提供する。
【００１０】
ＨＡＲＱ手順は、非同期および同期ＨＡＲＱに分類されることができる。非同期ＨＡＲＱでは、新しいブロックの伝送と再伝送との間に（静的または半静的に）既知の時間関係が存在しない。代わりに、再伝送は、明示的にスケジューリングされることが必要とされ、すなわち、新しいブロックとその再伝送との間の時間関係は、動的である。
【００１１】
ＬＴＥのダウンリンクＨＡＲＱは、非同期ＨＡＲＱの実施例である。ＬＴＥにおけるＵＥによって受信されたダウンリンクスケジューリング割当（ＰＤＣＣＨまたはｅＰＤＣＣＨ上で）では、ＨＡＲＱプロセス指数ならびに伝送が再伝送かどうかの指示が明示的に含まれる。これは、原則として、任意のＨＡＲＱプロセスが、ＵＥへのダウンリンク伝送における任意の（ダウンリンク）サブフレームに使用されることができることを意味する。同期ＨＡＲＱでは、新しいブロックの伝送と再伝送との間に（静的または半静的に）既知の時間関係が存在する。
【００１２】
ＬＴＥのアップリンクＨＡＲＱは、同期ＨＡＲＱの例である。ＬＴＥにおけるＵＥによって受信されたアップリンクスケジューリング許可（ＰＤＣＣＨ上、ｅＰＤＣＣＨ上、または暗示的にＰＨＩＣＨ上で）は、この例において、明示的ＨＡＲＱプロセス指数を含まない。代わりに、アップリンク伝送に使用されるべきＨＡＲＱプロセス指数は、アップリンクスケジューリング許可が受信されたサブフレーム指数によって暗示的に与えられる。しかしながら、アップリンクスケジューリング許可（ＰＤＣＣＨ上、ｅＰＤＣＣＨ上、または暗示的にＰＨＩＣＨ上で）は、この例において、伝送が同一のＨＡＲＱプロセスの事前に伝送されたブロックの再伝送であるべき場合の指示を含み得る。
【００１３】
ベースステーションおよびＵＥの各々は、少なくとも１つの伝送機および少なくとも１つの受信機を含む。加えて、ベースステーションは、ダウンリンク伝送をスケジューリングするためのスケジューラを含む。現在、ダウンリンク伝送機、アップリンク受信機、およびダウンリンクスケジューラは全て、ベースステーション内に位置する。ダウンリンク受信機およびアップリンク伝送機は、ＵＥ内に位置する。現在のベースステーションアーキテクチャでは、ダウンリンク伝送機、アップリンク受信機、およびダウンリンクスケジューラは全て、１つの場所の同一場所に位置する。しかしながら、分散型ネットワークトポロジ等の新しいネットワークトポロジを対象とする傾向が存在し、そこでは、ダウンリンク伝送機は、１つの物理的な場所のノード内に位置し得、アップリンク（ＡＣＫ／ＮＡＣＫ）受信機は、別の物理的な場所の別のノード内に位置し得、スケジューラは、第３の物理的な場所の第３のノード内に位置し得、これらのノードは、非理想的バックホールと接続される。ノードが同一場所に位置しないため、アップリンク受信機のＡＣＫ／ＮＡＣＫの受信とＡＣＫ／ＮＡＣＫがダウンリンクスケジューリングに使用されることができる時間との間に有意なバックホール遅延がある可能性がある。同様に、ダウンリンクスケジューリングとスケジューリングに基づく実際のダウンリンク伝送との間に有意なバックホール遅延がある可能性がある。したがって、ダウンリンク伝送機は、プロセスに配分された伝送間隔にあるとき、すぐに、次のブロックを伝送するための、または前のブロックを再伝送するための準備ができていないこともある。代わりに、ダウンリンク伝送機は、伝送または再伝送を実施する前に、後続の伝送間隔まで待つ必要があり、それは、ダウンリンク伝送機からユーザ機器までのデータレートの低下をもたらすであろう。
【発明の概要】
【発明が解決しようとする課題】
【００１４】
いくつかの実施形態では、本発明は、無線ネットワーク内のダウンリンク伝送機、アップリンク受信機および／またはスケジューラが、同一場所に位置しないときに生じる問題を解決することを対象とする（すなわち、これらのデバイスの間にバックホール遅延を伴う分散型ネットワークトポロジ）。この場合、限定されたＨＡＲＱプロセスを伴い、全ての伝送機会を使用することが可能ではなく、それによって、ユーザ機器およびシステム効率性の最大データレートを低下させ得る。
【課題を解決するための手段】
【００１５】
本開示は、この欠点に対処し、限定されたＨＡＲＱプロセスを伴う分散型ネットワークトポロジにおける、より多くの伝送機会を使用するための方法およびシステムを提供する。本開示方法のいくつかの実施形態では、ＵＥのＨＡＲＱプロセスの数は、ＵＥが使用するネットワークデバイス（ダウンリンク伝送機、アップリンク受信機等のどれか）の間のバックホール遅延に適応させられる。これらの特定のネットワークデバイスを使用する、他のＵＥの組も、ＵＥのＨＡＲＱプロセスの数を適応させるとき、考慮されることができる。ＨＡＲＱプロセスの数を適切に適応させることによって、ＵＥデータレートおよびシステム効率性は、改善されることができる。
【００１６】
本発明のさらなる特徴および利点ならびに本発明の種々の実施形態の構造および動作が、付随の図面を参照して下記に詳細に説明される。
【００１７】
１つ以上の種々の実施形態による、本発明は、以下の図を参照して詳細に説明される。図面は、例証のみの目的のために提供され、単に、本発明の例示的実施形態を描写する。これらの図面は、本発明の読者の理解を促進するために提供され、本発明の範疇、範囲、または適用性の制限と見なされるべきではない。例証の明確および容易性のために、これらの図面は、必ずしも、縮尺通りではないことに留意されたい。
【図面の簡単な説明】
【００１８】
【図１】図１は、分散型トポロジセルラー通信ネットワークの実施形態を例証する。
【図２】図２は、最小限のバックホール遅延を伴うセルラーネットワークにおける、ＨＡＲＱプロセスの実施形態の信号およびプロセス図である。
【図３】図３は、実質的バックホール遅延を伴う分散型ネットワークトポロジにおける、ＨＡＲＱプロセスの実施形態の信号およびプロセス図である。
【図４】図４は、本開示による、伝送機コントローラプロセスの実施形態のフローチャートである。
【発明を実施するための形態】
【００１９】
本アプローチは、同一参照が類似要素を示す、付随の図面の図において、限定としてではなく、実施例として例証される。本開示における「ある（ａｎ）」または「一（ｏｎｅ）」または「いくつかの（ｓｏｍｅ）」実施形態という言及は、必ずしも、同一の実施形態ではなく、そのような言及は、少なくとも１つを意味することに留意されたい。
【００２０】
例示的実施形態の以下の説明では、その一部を形成し、かつ本発明が実践され得る具体的実施形態の例証として示される付随の図面を参照する。他の実施形態が利用され得、構造上の変更が、本発明の好ましい実施形態の範囲から逸脱せずに行われ得ることを理解されたい。
【００２１】
ここで、図面（最初に、図１）を参照すると、分散型トポロジセルラー通信ネットワークの実施形態が、数字１００によって、概して、指定される。ネットワーク１００は、大きなセル１０１と、少なくとも２つの小さなセル１０３および１０５とを備えている。大きなセル１０１は、大きなセルベースステーション１０７を含む。小さなセル１０３および１０５の各々は、それぞれ、小さなセルベースステーション１０９および１１１を含む。
【００２２】
セル１０１、セル１０３、およびセル１０５は、ネットワーク１００のノードを備えている。ベースステーション１０７−１１１は、バックホール１１５−１１９によって相互接続される。いくつかの実施形態では、ベースステーション１０７と１０９とは、バックホール１１５によって互に接続され、ベースステーション１０７とベースステーション１１１とは、バックホール１１７によって接続される。モバイル端末またはユーザ機器（ＵＥ）１１３が、セル１０１および１０３内に位置する。
【００２３】
各ベースステーション１０７、１０９、および１１１は、ダウンリンク伝送機、ダウンリンクスケジューラ、およびアップリンク受信機（図１に図示せず）を含み得る。本開示の実施形態によると、ＵＥ１１３とのセッションのためのダウンリンク（ＤＬ）伝送機、ＤＬスケジューラ、およびアップリンク（ＵＬ）受信機の機能は、ネットワーク１００にわたって分散される。具体的には、ベースステーション１０７は、ＤＬ伝送機を提供し、ベースステーション１０９は、ＵＬ伝送機を提供し、ベースステーション１１１は、ＤＬスケジューラを提供する。ベースステーション１０９およびベースステーション１１１が同一場所に位置しないため、ベースステーション１０７におけるＵＬ受信機のＡＣＫ／ＮＡＣＫのＵＥ１１３からの受信と、ＡＣＫ／ＮＡＣＫがベースステーション１１１におけるＤＫスケジューラに使用されることができる時間との間に有意なバックホール遅延がある可能性がある。同様に、ベースステーション１１１内のＤＬスケジューリングと、スケジューリングに基づくベースステーション１０７からの実際のＤＬ伝送との間に有意なバックホール遅延がある可能性がある。
【００２４】
いくつかの実施形態では、ダウンリンク伝送機は、例えば、共同伝送を伴う協調マルチポイント（ＣｏＭＰ）が使用される場合、複数の物理的な場所の複数のノード内に位置し得る。一実施形態では、これらのノードまたはそれらのサブセットが、非理想的バックホールと接続され得る。いくつかの実施形態では、アップリンク受信機は、例えば、共同受信を伴う協調マルチポイント（ＣｏＭＰ）が使用される場合、複数の物理的な場所の複数のノード内に位置し得る。一実施形態では、これらのノードまたはそれらのサブセットは、非理想的バックホールと接続され得る。いくつかの実施形態では、スケジューラは、複数の物理的な場所の複数のノード内に位置し得る。一実施形態では、これらのノードまたはそれらのサブセットは、非理想的バックホールと接続され得る。いくつかの実施形態では、異なるＵＥに対して、異なる機能は、異なるノード内に位置し得る。例えば、一方のＵＥへのダウンリンクは、別のＵＥへのダウンリンクと異なるノードから伝送され得る。
【００２５】
バックホール遅延概念をより深く理解するために、図２は、ＤＬ伝送機、ＤＬスケジューラ、およびＵＬ受信機が全て、同一のベースステーション２０１内の同一場所に位置する、状況を例証する。ベースステーション２０１は、２０５に示されるように、ＵＥ２０３に新しいＬ２ブロックを伝送する。ＵＥ２０３は、プロセスブロック２０７に示されるように、ソフトビットをそのメモリバッファ内に記憶し、プロセスブロック２０９に示されるように、新しいＬ２ブロックをデコードする。デコーディングステップの結果に応じて、ＵＥ２０３は、２１１に示されるように、ベースステーション２０１にＡＣＫ応答またはＮＡＣＫ応答のいずれかを返送する。ベースステーション２０１のＤＬスケジューラは、プロセスブロック２１３に示されるように、それがＡＣＫを受信したか、ＮＡＣＫを受信したかに基づいて、前のＬ２ブロックの再伝送または新しいＬ２ブロックのいずれかをスケジューリングする。ベースステーション２０１の伝送機は、次いで、２１５に示されるように、ＵＥ２０３にスケジューリング決定と、前のＬ２ブロックまたは新しいＬ２ブロックとを伝送する。２０５における新しいＬ２ブロックの伝送と２１５における前のまたは新しいＬ２ブロックの受信との間の時間経過は、正常往復時間を構成し、それは、ＬＴＥにおいて８つのサブフレームである。ＵＥ２０３が新しいＬ２ブロックを受信する場合、ＵＥ２０３は、新しいＬ２ブロックをそのメモリバッファ内に記憶し、ＵＥ２０３が再伝送された前のＬ２ブロックを受信する場合、ＵＥ２０３は、全て、プロセスブロック２１７に示されるように、再伝送をそのメモリバッファ内に記憶されたソフトビットと柔軟に組み合わせる。
【００２６】
図３は、ＤＬ伝送機３０１が第１の物理的な場所（ノードＡ）に位置し、ＵＬ受信機３０３が第２の物理的な場所（ノードＢ）に位置し、ＤＬスケジューラが第３の物理的な場所（ノードＣ）に位置する、状況を例証する。ＤＬ伝送機３０１は、３０９に示されるように、ＵＥ３０７に新しいＬ２ブロックを伝送する。ＵＥ３０７は、プロセスブロック３１１に示されるように、ソフトビットをそのメモリバッファ内に記憶し、プロセスブロック３１３に示されるように、新しいＬ２ブロックをデコードする。デコーディングステップの結果に応じて、ＵＥ３０７は、３１５に示されるように、ＵＬ受信機３０３にＡＣＫ応答またはＮＡＣＫ応答のいずれかを伝送する。ＵＬ受信機３０３は、３１７に示されるように、低速度バックホールを経由して、ＡＣＫまたはＮＡＣＫをＤＬスケジューラ３０５に伝送する。ＤＬスケジューラ３０５は、プロセスブロック３１９に示されるように、ＡＣＫを受信したか、ＮＡＣＫを受信したかに基づいて、前のＬ２ブロックの再伝送または新しいＬ２ブロックのいずれかをスケジューリングする。ＤＬスケジューラ３１９は、次いで、３２１に示されるように、低速度バックホールを経由して、ＵＥに、ＤＬ伝送機３０１に、スケジューリング決定を伝送する。ＤＬ伝送機３０１は、次いで、３２３に示されるように、ＵＥ３０７に、スケジューリング決定と、前のまたは新しいＬ２ブロックとを伝送する。３０９における新しいＬ２ブロックの伝送と３２３における前のまたは新しいＬ２ブロックの受信との間の時間経過は、バックホール遅延に加えて、正常往復時間を構成する。バックホールの実際の量は、２０のサブフレームと同じ量であり得る。ＵＥ３０７が新しいＬ２ブロックを受信する場合、ＵＥ３０７は、新しいＬ２ブロックをそのメモリバッファ内に記憶し、ＵＥ３０７が再伝送された前のＬ２ブロックを受信する場合、ＵＥ３０７は、全て、プロセスブロック３２５に示されるように、再伝送をそのメモリバッファ内に記憶されたソフトビットと柔軟に結合させる。
【００２７】
ＨＡＲＱプロセス往復時間の増加は、単一のＵＥが、連続的に、すなわち、各連続伝送機会に対してスケジューリングされることができない状態をもたらし得る。なぜなら、ＨＡＲＱプロセスの数が固定され、かつ制限されているからである。これは、ＵＥの最大データレートを低下させる。例えば、ＬＴＥダウンリンクを考える。この例では、ＨＡＲＱプロセスの再伝送が分散型ネットワーク機能（ＬＴＥにおいて、サブフレームが伝送機会である）の一部の間のバックホール遅延に起因して、最初の伝送の後、最早の２０のサブフレームで生じ得るような分散型ネットワークトポロジを仮定する。そして、通常のＤＬ  ＨＡＲＱ手順に従うと、ＬＴＥにおいて８つのＤＬ  ＨＡＲＱプロセスが存在するため、ＵＥは、２０のサブフレームのうちの８つのみ（４０％）でスケジューリングされることができる。しかしながら、そうであっても、ＨＡＲＱプロセスがＵＥごとであるので、検討中のＵＥは、連続的にスケジューリングされず、別のＵＥが、スケジューリングされ得る。故に、全ての時間周波数リソースは、いずれにしても使用され得る。さらに、バックホール遅延の増加を伴う場合、全ての伝送機会は、複数の活性ＵＥが存在する場合でも、使用されることはできない。
【００２８】
図４は、ＵＥに対するＨＡＲＱ構成の実施形態のフローチャートである。一実施形態では、フローチャートに例証されるプロセスは、ＵＬに関する。一実施形態では、フローチャートに例証されるプロセスは、ＤＬに関する。一実施形態では、フローチャートに例証されるプロセスは、ＵＬとＤＬとの両方に関し、すなわち、ＨＡＲＱプロセスの同一の数が、ＵＬおよびＤＬに使用される。ＵＥに対するＨＡＲＱ往復時間が、ブロック４０１で推定される。次いで、ＵＥに対するＨＡＲＱプロセスの好適な数が、推定されたＨＡＲＱ往復時間を使用して、ブロック４０３で算出される。いくつかの実施形態では、ＵＥおよび負荷分配、ならびに他のＵＥの場所および伝送／受信点等の他の側面が、ＨＡＲＱプロセスの数を算出する場合、考慮される。ＨＡＲＱプロセスの数を算出した後、ＵＥは、ブロック４０４において、ＨＡＲＱプロセスの算出された数で構成される。最後に、ＵＬ／ＤＬ  ＨＡＲＱプロセスの新しい数は、ブロック４０５において、ＵＥとのＵＬ／ＤＬ通信に使用される。次いで、プロセスは、別のＵＥのために繰り返される。最終的に、プロセスは、例えば、ＵＥに伝送またはＵＥから受信するノードが変更される場合、同一のＵＥに対して繰り返され得る。
【００２９】
一実施形態では、ＵＥのために使用されるＨＡＲＱプロセスの数は、分散型ネットワークトポロジにおけるバックホール遅延に適応させられる。概して、ＵＥとの通信に関連するより長いバックホール遅延は、より多くのＨＡＲＱプロセスがＵＥのために構成されるであろうことを示唆するであろう。ＵＥ場所、負荷分配等に応じて、異なるノードが、ダウンリンクにおいて異なるＵＥにサービスし得、異なるノードが、アップリンクにおいて異なるＵＥにサービスし得る。したがって、異なるＵＥは、異なるバックホール遅延を被り得、ひいては、異なる数のＨＡＲＱプロセスを必要とし得る。
【００３０】
いくつかの実施形態では、ダウンリンクにおけるＨＡＲＱプロセスの数は、アップリンクにおけるＨＡＲＱプロセスの数と異なる。一実施形態では、ダウンリンクにおけるＨＡＲＱプロセスの数は、アップリンクにおけるＨＡＲＱプロセスの数に等しい。
【００３１】
いくつかの実施形態では、ＵＥのＨＡＲＱプロセスの数は、ネットワークによって構成される。一実施形態では、ダウンリンクに対するＨＡＲＱプロセスの数は、アップリンクに関するＨＡＲＱプロセスの数とは別個に構成される。一実施形態では、ダウンリンクに対するＨＡＲＱプロセスの数は、アップリンクに対するＨＡＲＱプロセスの数と共同で構成される。いくつかの既存のシステムでは、ＨＡＲＱプロセスの数は、例えば、ＴＤＤ  ＬＴＥにおけるＤＬ／ＵＬ構成の関数として再構成され得ることに留意されたい。しかしながら、この構成は、セル内の全てのＵＥに対して有効であり、ＵＥ特有ではない。
【００３２】
本開示は、単一のサービングセルに接続されたＵＥに対するＨＡＲＱプロセスを説明する。本開示はまた、複数のセルに接続されたＵＥに対するＨＡＲＱプロセスを説明する。ＵＥが複数のセルに接続される場合、本開示は、別個に、または共同して、これらのセルの各々に適用することができる。いくつかの実施形態では、複数のセルに接続されるＵＥが、異なるサービングセルに対するＨＡＲＱプロセスの別個の数を有するであろう。いくつかの実施形態では、ＵＥが、第１のサービングセルに対するある数のＨＡＲＱプロセスと、第２のサービングセルに対して異なる数のＨＡＲＱプロセスとで構成される。いくつかの実施形態では、ＵＥに対するある数のＨＡＲＱプロセスの構成が、単一のサービングセルに適用される。
【００３３】
いくつかの実施形態では、ＵＥに対するある数のＨＡＲＱプロセスの構成は、複数のサービングセルに適用される。いくつかの実施形態では、ＵＥが、３つのセルに接続される。ＵＥは、８つのＤＬ  ＨＡＲＱプロセスおよび１６のＤＬ  ＨＡＲＱプロセスで構成され、その８の数は、２つ（すなわち、複数の）サービングセルに適用され、その１６の数は、単一のサービングセルに適用される。他の実施形態では、異なる数のＤＬ  ＨＡＲＱプロセスが、使用される。他の実施形態では、ＵＥは、３つのサービングセルの各々に対して異なる数のＨＡＲＱプロセスで構成される。いくつかの実施形態では、複数のセルに接続されるＵＥに対するＨＡＲＱプロセスの数は、各サービングセルに対して別個に構成される。いくつかの実施形態では、同一の数のＨＡＲＱプロセスが、複数のセルに接続されるＵＥに対する異なるサービングセルのために別個に構成される。
【００３４】
ＬＴＥにおいて８つのＤＬ  ＨＡＲＱプロセスが存在する実施形態を参照して本明細書に説明されるが、本開示はまた、種々の実施形態において、１６以上のＤＬ  ＨＡＲＱプロセスが存在し、バックホールの合計が有意である（すなわち、１０ｍｓまたはさらに２０＋ｍｓ）、実施形態等の他の実施例にも適用される。
【００３５】
実施形態の説明を継続すると、ＬＴＥダウンリンクは、ＵＥが８つのＨＡＲＱプロセスを有する、実施例である。例示的分散型ネットワークトポロジは、ＨＡＲＱプロセスの再伝送が、分散型ネットワーク機能の一部の間のバックホール遅延に起因して、最初の伝送の後に、最早の２０のサブフレームで生じ得るようなものである。このＵＥに関するＨＡＲＱプロセスの数が、２０に増加される場合、ＵＥは、サブフレームの４０％のみの代わりに、サブフレーム毎にスケジューリングされることができる。
【００３６】
さらに、伝送機会が任意のＵＥによって使用されることができるので、ＨＡＲＱプロセスの数を決定するとき、他のＵＥのセットが考慮されることができる。一実施形態では、全てのＵＥに対するＨＡＲＱプロセスの数は、全ての伝送機会が使用され得ることを確実にするために、共同して決定されることができる。
【００３７】
上記に説明される例示的実施形態の説明を継続すると、ＬＴＥダウンリンクの一実施形態では、単一のＵＥの代わりに、同一のノードによってサービス提供される２つのＵＥが存在する。これは、上記のように、両方のＵＥが２０のサブフレームの全体的ＨＡＲＱプロセス往復時間を有することを意味する。異なるＵＥのＨＡＲＱプロセスは、異なるサブフレームの間、使用されることができるので、ＨＡＲＱプロセスの合計数を２０まで増加させることが、全ての伝送機会を使用することを可能にするために十分であり得る。これは、例えば、種々の実施形態において、両方のＵＥに対するＨＡＲＱプロセスの数を１０まで増加させることによって、またはＵＥのうちの１つのＨＡＲＱプロセスの数だけを１２まで増加させることによって、達成されることができる。
【００３８】
前述の実施形態では、ＵＥに関するＨＡＲＱプロセスの数は、少なくとも半静的に構成され得ると仮定される。ＵＥが移動する場合、それらは、異なるノードによって提供されることを必要とし得る。次いで、必要とされるＨＡＲＱプロセスの数は、種々の実施形態において、必要に応じて再構成されるであろう。
【００３９】
ＨＡＲＱプロセスに対するソフトビットメモリバッファのサイズは、典型的には、制限をデータレートにもたらす。ＬＴＥダウンリンクでは、例えば、ＵＥ分類は、ダウンリンクのためのＵＥ内の合計メモリバッファサイズを規定し、説明される実施形態において、８つのＨＡＲＱプロセスによって共有される必要があるが、総計で８よりも大きい（例えば、１６、２０＋）ＨＡＲＱプロセスが、他の実施形態では使用される。ＨＡＲＱプロセスの数が再構成される場合、ＨＡＲＱプロセスあたりのソフトビットの数もまた、変化し得る。ソフトビットの数は、ＨＡＲＱプロセスの数を通して、明示的または暗示的に構成されることができる。いくつかの実施形態では、合計バッファサイズは、ＨＡＲＱプロセスの数に伴って変化しない（プロセスあたりのバッファサイズのみ）。ＨＡＲＱプロセスあたりのバッファサイズの縮小は、バッファサイズが最大Ｌ２ブロックサイズに適応させられる実施形態に従って、多くの場合、Ｌ２ブロックサイズを縮小させない。多くのシナリオでは、最大のＬ２ブロックサイズは、典型的には、特殊かつ稀な条件のみでの使用のために専用であることができる。いくつかの実施形態では、合計バッファサイズは、構成されたＨＡＲＱプロセスの間で等しく分割され、プロセスあたりの等しいバッファサイズ、または、ほぼ等しいサイズ（合計バッファサイズがＨＡＲＱプロセスの構成された数によって均等に分割可能ではない場合）をもたらす。他の実施形態では、合計バッファサイズは、ＨＡＲＱプロセスの構成された数に伴って変化する。いくつかの実施形態では、プロセスあたりのバッファサイズは、ＨＡＲＱプロセスの構成された数に伴って変化しない。
【００４０】
いくつかの実施形態では、スケジューラが、ＵＥのＨＡＲＱプロセスの構成された数を考慮する。例えば、構成されたＨＡＲＱプロセスの数は、スケジューラが割り当てるＬ２ブロックサイズを制限することができる。いくつかの場合、これは、全ての利用可能である時間周波数リソースが、所望の信頼性（例えば、標的ブロック誤り率）を伴うブロックを通信するために使用される必要がないことにつながり得る。一実施形態では、スケジューラは、より多くの利用可能であるリソースが所望の信頼性を伴うブロックを通信するために使用されることが必要であるように、伝送電力を低下させることによって、これを取り扱う。これは、システムにおける干渉の量を低下させることができる。一実施形態では、スケジューラは、ブロック誤り率がそうでなければ使用される標的レベルを下回って低下されるように、通信信頼性（コード化レートの低下または低次変調、あるいはそれらの組み合わせ）を増加させることによって、制限されたＬ２ブロックサイズを取り扱う。これは、再伝送の必要性を低下させ得る。本発明の１つ以上の実施形態が、ダウンリンクに関連して説明されているが、本発明は、アップリンクにも等しく利用可能である。
【００４１】
ＬＴＥダウンリンクにおけるような非同期ＨＡＲＱでは、ＨＡＲＱプロセス指数は、スケジューリング割当において明示的に信号伝送される。ＨＡＲＱプロセス指数は、いくつかのビットによって表されることができる。概して、より多くのＨＡＲＱプロセスが存在する場合、より多くのビットがＨＡＲＱプロセス指数に必要とされる。例えば、８つのＨＡＲＱプロセスが存在する場合、３ビットが、ＨＡＲＱプロセス指数を表すために必要とされる一方、４ビットが、１６のＨＡＲＱプロセスが存在する場合、必要とされる。
【００４２】
いくつかの実施形態では、ＨＡＲＱプロセス指数および巡回冗長検査（ＣＲＣ）を含む、スケジューリング割当は、一組のコード化ビットにコード化されたチャネルである。コード化ビットの数は、スケジューリング割当の通信に使用されることができる、リソース（例えば、時間および周波数）の数に依存する。所与の数のエンコード化ビットに対して、ＨＡＲＱプロセス指数に対するさまざまな数のビットが、異なる方法で取り扱われることができる。
【００４３】
いくつかの実施形態では、異なる数のＨＡＲＱプロセスに対する異なる数のＨＡＲＱプロセス指数ビットは、適宜、スケジューリング割当の効果的チャネルコーディングレート（すなわち、デコーディング信頼性）を単に適応させることによって取り扱われる。これは、スケジューリング割当を通信するために使用されることができる、ある組のリソース（例えば、時間および周波数）を仮定する。言い換えれば、より多くまたはより少ないＨＡＲＱプロセス指数ビットに起因して、より大きいまたはより小さいスケジューリング割当（任意のゼロパディングを除外する）が、同一の数のエンコード化ビットにエンコードされる。故に、より多くのＨＡＲＱプロセスは、より高いコーディングレートおよびデコーディング信頼性の低下をもたらし得る。いくつかの実施形態では、可変コーディングレート（ひいては、信頼性）は、より多くのリソース（例えば、時間および周波数）をスケジューリング割当の通信に配分することによって、または変調形式を変更することによって、部分的または完全に補償され得る。より多くのリソースは、より多くのエンコード化ビットが通信され、チャネルコーディングレートが低下され、信頼性が増加され得ることを意味するであろう。いくつかの実施形態では、可変コーディングレート（ひいては、信頼性）は、スケジューリング割当の伝送電力を増加させることによって、部分的または完全に補償され得る。
【００４４】
他の実施形態では、スケジューリング割当が、スケジューリングされたデータレートに関連し得る、他のパラメータまたは指数を含む。実施例は、変調コーディングスキーム（ＭＣＳ）指数および空間層の数を含む（ＬＴＥでは、伝送ランクと呼ばれる）。いくつかの実施形態では、スケジューリング割当に関するビットの数（ゼロパディングを除外する）は、ＨＡＲＱプロセスの数に伴って変化しない。これは、適宜、スケジューリング割当において１つ以上の他のパラメータまたは指数のビットの数を調節することによって、ＨＡＲＱプロセス指数に対するビットの変化させられる数を補償することによって達成される。いくつかの実施形態では、ＨＡＲＱプロセス指数に対するビットの増加数は、ＭＣＳに対するビットの数を減少させることによって補償される。一実施形態では、ＭＣＳに対するビットの減少数に起因して除外されるＭＣＳは、構成可能である。これは、例えば、どのＭＣＳをＵＥが典型的に使用するかに依存し得る。いくつかの実施形態では、ＨＡＲＱプロセス指数に対するビットの増加数は、伝送ランクに対するビットの数を減少させることによって補償される。一実施形態では、伝送ランクに対するビットの減少数に起因して除外される伝送ランクは、構成可能である。これは、例えば、どの伝送ランクをＵＥが典型的に使用するかに依存し得る。
【００４５】
さらに他の実施形態では、一実施形態では、スケジューリング割当形式は、ＨＡＲＱプロセスの数が変化し、ＨＡＲＱプロセス指数を表すために使用されるビットの数が各ＨＡＲＱプロセスの数に対して同一であるとき、変化しない。代わりに、ＨＡＲＱプロセス指数は、スケジューリング割当におけるＨＡＲＱプロセス指数と、スケジューリング割当（または、いくつかの他の信号、例えば、対応するデータ伝送）が伝送または受信される時刻とによって共同して与えられる。一実施形態では、より大きなＨＡＲＱプロセス指数に対するＨＡＲＱプロセス指数ビットと時刻との間のマップピングは、事前に定義される。一実施形態では、マップピングは、例えば、ＨＡＲＱプロセスの数の構成とともに構成されることができる。
【００４６】
実施例として、スケジューリング割当におけるＨＡＲＱプロセス指数が３ビットを有する（すなわち、８つのＨＡＲＱプロセスを表し得る）、ＦＤＤ  ＬＴＥダウンリンクを考慮されたい。ここで、ＵＥが、例えば、１６のＨＡＲＱプロセスを有するように構成されるであろう場合、スケジューリング割当におけるＨＡＲＱプロセス指数は、スケジューリング割当が偶数のサブフレームで伝送される場合、ＨＡＲＱプロセス０−７を表すことができ、スケジューリング割当が奇数のサブフレームで伝送される場合、ＨＡＲＱプロセス８−１５を表すことができる。これは、表３（ここでは、ｎは偶数であると仮定される）に例証される。８つのＨＡＲＱプロセスが構成される場合、ＨＡＲＱプロセス指数は、スケジューリング割当におけるＨＡＲＱプロセス指数に対応する。一方では、１６のＨＡＲＱプロセスが構成される場合、ＨＡＲＱプロセス指数は、偶数のサブフレーム（ｎ、ｎ＋２、ｎ＋４、ｎ＋６（式中、ｎは偶数））においてのみ、ＨＡＲＱプロセス指数に対応する。奇数のサブフレーム（ｎ＋１、ｎ＋３、ｎ＋５）では、ＨＡＲＱプロセス指数は、スケジューリング割当におけるＨＡＲＱプロセス指数プラス８によって与えられる。サブフレームｎ＋４とｎ＋５との両方では、同一のＨＡＲＱプロセス指数（すなわち、３）が、スケジューリング割当におけるものである。しかしながら、スケジューリングされたＵＥが、１６の構成されたＨＡＲＱプロセスを有する場合、サブフレームｎ＋４の指数は、ＨＡＲＱプロセス指数３に対応する一方、サブフレームｎ＋５の指数は、ＨＡＲＱプロセス指数１１に対応する。総当たり方式でＨＡＲＱプロセス指数の組を回転させることによって、再伝送がスケジューリングされ得る前の待ち時間は、最小化される。
【表１】
2016518746.tif 000003
【００４７】
一実施形態、例えば、ＴＤＤダウンリンクでは、１つのサブフレームで検討されるＨＡＲＱプロセス指数の組は、ダウンリンクサブフレームの間のみにおいて総当たり方式で決定される。一ＴＤＤアップリンク実施形態に対して、その組は、アップリンクサブフレームの間のみにおいて総当たり方式で変更されるであろう。ダウンリンク実施例は、表２に例証される。この実施形態では、ＨＡＲＱプロセス指数の組は、上記のＦＤＤ実施例におけるように、連続サブフレームの間で変化しないが、連続ダウンリンクサブフレームの間で変化する。総当たり方式でＨＡＲＱプロセス指数の組を回転させることによって、再伝送がスケジューリングされ得る前の待ち時間は、最小化される。
【表２】
2016518746.tif 000004
【００４８】
さらに他の実施形態では、スケジューリング割当形式は、ＨＡＲＱプロセスの数が変化し、ＨＡＲＱプロセス指数を表すために使用されるビットの数が各ＨＡＲＱプロセスの数に対して同一であるとき、変化しない。代わりに、ＨＡＲＱプロセス指数は、スケジューリング割当におけるＨＡＲＱプロセス指数と、前の時刻のＨＡＲＱプロセス指数とによって共同して与えられる。一実施形態では、より大きなＨＡＲＱプロセス指数に対するスケジューリング割当におけるＨＡＲＱプロセス指数ビットと前の時刻のＨＡＲＱプロセス指数との間のマップピングは、事前に定義される。一実施形態では、マップピングは、例えば、ＨＡＲＱプロセスの数の構成とともに構成されることができる。
【００４９】
実施例として、スケジューリング割当におけるＨＡＲＱプロセス指数が３ビットを有する（すなわち、８つの値（例えば、１−８）を表すことができる）ＦＤＤ  ＬＴＥダウンリンクを考慮されたい。ここで、例えば、ＵＥがｎ個のＨＡＲＱプロセスを有するように構成されるであろう場合、ＨＡＲＱプロセス指数Ｘｎｅｗ（０とｎ−１との間）は、例えば、（Ｘｏｌｄ＋Ｙ）ｍｏｄｕｌｏ  ｎによって与れられ得る（式中、Ｘｏｌｄは、ＵＥがスケジューリングされた前の時間のＨＡＲＱプロセス指数であり、Ｙは、スケジューリング割当におけるＨＡＲＱプロセス指数である）。Ｘｎｅｗの算出の後に、更新Ｘｏｌｄ＝Ｘｎｅｗが、行われることができる。いくつかの実施形態では、ＵＥがスケジューリングされた、必ずしも、後続の、前の機会ではない、複数のＨＡＲＱプロセス指数は、スケジューリング許可におけるＨＡＲＱプロセス指数とともに、新しいＨＡＲＱプロセス指数を算出するために使用されることができる。
【００５０】
いくつかの同期ＨＡＲＱ実施形態では、ＨＡＲＱプロセス指数は、ＬＴＥアップリンクにおけるように、スケジューリング割当に含まれない。代わりに、スケジューリング割当が参照するＨＡＲＱプロセス指数は、スケジューリング割当（または、いくつかの他の信号例えば対応するデータ伝送）が伝送または受信される時刻（ＬＴＥにおけるサブフレームのどれか）によって暗示的に与えられる。一実施形態では、異なる数のＨＡＲＱプロセスは、スケジューリング割当伝送または受信の時刻と、対応するＨＡＲＱプロセス指数とから、異なるマップピングを使用することによって解決される。一実施形態では、マップピングは、事前に定義される。一実施形態では、マップピングは、例えば、ＨＡＲＱプロセスの数の構成とともに構成されることができる。
【００５１】
ＬＴＥ  ＦＤＤアップリンクでは、例えば、８つのＨＡＲＱプロセス（例えば、指数０−７を伴う）が存在する。これらのＨＡＲＱプロセスの各々は、対応するスケジューリング許可が伝送または受信されることができる、サブフレームに対応する。特定のＨＡＲＱプロセスに関するサブフレームは、８つのサブフレームの周期とともに生じる。一実施形態では、ＨＡＲＱプロセスの数は、例えば、この周期を１６のサブフレームに増加させ、ＨＡＲＱプロセス０−７に関するサブフレームの後にＨＡＲＱプロセス８−１５に関するサブフレームを定期的に付加することによって、１６に増加されることができる。これは、表３に例証される。この実施例では、サブフレームｎにおいて伝送または受信されるサブフレームは、ＨＡＲＱプロセス０に対応する。８つのＨＡＲＱプロセスが、スケジューリングされたＵＥのために構成される場合、同一のＨＡＲＱプロセスの再伝送または新しいデータ伝送は、サブフレームｎ＋８の最初に行われることができる。一方では、１６のＨＡＲＱプロセスが、スケジューリングされたＵＥのために構成される場合、同一のＨＡＲＱプロセスの再伝送または新しいデータ伝送は、サブフレームｎ＋１６の最初に行われることができる。８つの構成されたＨＡＲＱプロセスを伴うＵＥに関して、ＨＡＲＱプロセスは、この実施例では、８つのサブフレーム毎に使用されることができる。１６の構成されたＨＡＲＱプロセスを伴うＵＥに関して、ＨＡＲＱプロセスは、この実施例では、１６のサブフレーム毎に使用されることができる。
【表３】
2016518746.tif 000005
【００５２】
ネットワークは、アップリンク伝送にＨＡＲＱ  ＡＣＫ／ＮＡＣＫで応答する。一実施形態では、アップリンクデータ伝送に対応するＡＣＫ／ＮＡＣＫのダウンリンクの伝送のタイミングは、ＨＡＲＱプロセスの増加数に従って、後に移動させられる。例えば、ＬＴＥ  ＦＤＤアップリンクでは、ネットワークは、ＨＡＲＱプロセスのＰＵＳＣＨ伝送の後の４つのサブフレームで、同一のＨＡＲＱプロセスの最初の可能性がある再伝送の前の結果として起こる４つのサブフレームで、ＰＨＩＣＨ上でＡＣＫ／ＮＡＣＫで応答する。一実施形態では、ＨＡＲＱプロセスの数が１６に増加される場合、例えば、ＡＣＫ／ＮＡＣＫ（ＰＨＩＣＨ、ＰＤＣＣＨ、またはいくつかの他のチャネル上で）は、ＰＵＳＣＨ伝送の後の１２のサブフレームに、しかし依然として、同一のＨＡＲＱプロセスの最初に可能な再伝送の前の４つのサブフレームに移動させられる。
【００５３】
本発明の種々の実施形態が、上記に説明されているが、それらは、限定としてではなく、実施例として提示されていることを理解されたい。同様に、種々の図は、本発明に含まれることができる特徴および機能性を理解する際に、補助するために行われる、本発明に関する実施例アーキテクチャまたは他の構成を描写し得る。本発明は、例証される実施例アーキテクチャまたは構成に制限されず、様々な代替アーキテクチャおよび構成を使用して、実装されることができる。加えて、本発明は、種々の例示的実施形態および実装の観点から上記に説明されるが、そのような実施形態が説明されるかどうか、かつそのような特徴が説明される実施形態の一部として提示されるかどうかにかかわらず、１つ以上の個々の実施形態に説明される種々の特徴および機能性は、それらが説明される特定の実施形態へのその適用性に限定されず、代わりに、単独またはいくつかの組み合わせで、本発明の１つ以上の他の実施形態に適用されることができることを理解されたい。したがって、本発明の範疇および範囲は、上記に説明される例示的実施形態のいずれかによって限定されるべきではない。
【００５４】
この文書に説明される１つ以上の機能は、適切に構成されるモジュールによって行われ得る。本明細書に使用される用語「ｍｏｄｕｌｅ（モジュール）」は、本明細書に説明される関連付けられる機能を行うための１つ以上のプロセッサ、ファームウェア、ハードウェア、およびこれらの要素の任意の組み合わせによって実行されるソフトウェアを指す。加えて、議論の目的のために、種々のモジュールは、離散モジュールとして説明される。しかしながら、当業者に明白であろうように、２つまたはそれを上回るモジュールが、本発明の種々の実施形態に従って、関連付けられる機能を行う単一のモジュールを形成するように結合され得る。
【００５５】
加えて、この文書に説明される１つ以上の機能は、概して、メモリストレージデバイスまたはストレージユニット等の媒体を指すために本明細書で使用される、「コンピュータプログラム製品」、「コンピュータ読み取り可能な媒体」、および同等物内に記憶されるコンピュータプログラムコードを用いて行われ得る。コンピュータ読み取り可能な媒体のこれらおよび他の形態は、プロセッサに規定の動作を行なわせるために、プロセッサによる使用のための１つ以上の命令を記憶することに関わってもよい。そのような命令は、概して、実行されると、コンピューティングシステムが所望の動作を行うことを可能にする、「コンピュータプログラムコード」（コンピュータプログラムまたは他のグループ化の形態でグループ化され得る）と称される。
【００５６】
明確性の目的のために、上記の説明は、異なる機能的ユニットおよびプロセッサを参照して、本発明の実施形態を説明していることが認識されるであろう。しかしながら、異なる機能的ユニット、プロセッサ、または領域の間での機能性の任意の好適な分配は、本発明から逸脱することなく、使用され得ることが明白であるであろう。例えば、別個のユニット、プロセッサ、またはコントローラによって行われるように例証される機能性は、同一のユニット、プロセッサ、またはコントローラによって行われ得る。故に、具体的な機能的ユニットの言及は、厳密な論理的または物理的な構造あるいは編成を示すのではなく、説明された機能性を提供するための好適な手段の言及のみと見なされる。
【図１】
2016518746.tif 000006
【図２】
2016518746.tif 000007
【図３】
2016518746.tif 000008
【図４】
2016518746.tif 000009
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
ダウンリンク伝送機ユニットと、
アップリンク受信機ユニットと、
非同期ハイブリッド自動反復要求（ＨＡＲＱ）プロトコルを使用して、前記ダウンリンク伝送機ユニットとユーザ機器（ＵＥ）との間のダウンリンク伝送をスケジューリングするためのダウンリンクスケジューラユニットと、
前記ダウンリンク伝送機ユニットと前記ＵＥとの間の通信のための複数の非同期ＨＡＲＱプロセスを配分するコントローラと
を備え、
前記ＵＥに伝送するための前記ダウンリンク伝送機に対する前記ダウンリンクスケジューラユニットによって為される決定に応答して、伝送スケジューリング割り当てが前記ダウンリンク伝送機ユニットから前記ＵＥに送信され、
前記伝送スケジューリング割り当ては、前記コントローラによって配分される前記複数の非同期ＨＡＲＱプロセスに関連付けられている完全なまたは部分的なＨＡＲＱプロセス指数を含む、
システム。
【請求項２】
前記ＨＡＲＱプロセス指数は、前記完全なＨＡＲＱプロセス指数を備え、前記伝送スケジューリング割り当てにおけるＨＡＲＱプロセス指数ビットの数は、前記複数の配分非同期ＨＡＲＱプロセスを表すために必要とされるビットの数に等しい、請求項１に記載のシステム。
【請求項３】
コード化ビットにおける前記伝送スケジューリング割り当てのサイズは、前記非同期配分ＨＡＲＱプロセスの異なる数に伴って変化せず、可変チャネルコーディングレートが、前記ＨＡＲＱプロセス指数に対する可変のビットの数を補償する、請求項２に記載のシステム。
【請求項４】
前記可変チャネルコーディングレートは、前記コントローラが、前記伝送スケジューリング割り当てに対して調節された数のリソースを配分すること、前記伝送スケジューリング割り当ての変調形式を変更すること、および前記伝送スケジューリング割り当ての伝送電力を変更することのうちの少なくとも１つを行うことによって、前記ＨＡＲＱプロセス指数に対する前記可変のビットの数を補償する、請求項３に記載のシステム。
【請求項５】
前記伝送スケジューリング割り当てにおける非コード化ビットの数は、前記配分非同期ＨＡＲＱプロセスの異なる数に伴って変化せず、前記伝送スケジューリング割り当てにおける１つ以上の他のパラメータのビットの数が、前記ＨＡＲＱプロセス指数の可変のビットの数を補償するように調節される、請求項２に記載のシステム。
【請求項６】
前記１つ以上の他のパラメータは、変調コーディングスキーム（ＭＣＳ）パラメータを含む、請求項５に記載のシステム。
【請求項７】
前記ＵＥは、複数のサービングセルに接続され、前記コントローラは、前記複数のサービングセルのうちの異なるサービングセルに対して前記非同期ＨＡＲＱプロセスの異なる数を配分する、請求項１に記載のシステム。
【請求項８】
前記ＨＡＲＱプロセス指数は、前記部分的なＨＡＲＱプロセス指数を備え、ＨＡＲＱプロセスを表すために使用されるＨＡＲＱプロセス指数ビットの固定された数は、ＨＡＲＱプロセスの異なる数に対して同一であり、前記伝送スケジューリング割り当てにおけるＨＡＲＱプロセス指数ビットの前記固定された数は、前記複数の配分非同期ＨＡＲＱプロセスを表すために必要とされるビットの数より小さい、請求項１に記載のシステム。
【請求項９】
前記ＵＥによって得られる前記ＨＡＲＱプロセス指数は、前記伝送スケジューリング割り当てにおける前記ＨＡＲＱプロセス指数と、前記伝送スケジューリング割り当てが伝送される時刻とによって共同して与えられる、請求項８に記載のシステム。
【請求項１０】
前記ＨＡＲＱプロセス指数は、前記伝送スケジューリング割り当てにおいて受信される前記部分的なＨＡＲＱプロセス指数を前に使用された１つ以上のＨＡＲＱプロセス指数と結合することによって、前記ＵＥによって得られる、請求項８に記載のシステム。
【請求項１１】
前記ＵＥは、ソフトビットバッファを含み、前記配分非同期ＨＡＲＱプロセスの全てに対する前記ＵＥにおける合計ソフトビットバッファサイズは、非同期ＨＡＲＱプロセスの異なる数に対して変化せず、非同期ＨＡＲＱプロセスあたりの前記ソフトビットバッファサイズが、前記非同期ＨＡＲＱプロセスの異なる数に対して変化する、請求項１に記載のシステム。
【請求項１２】
前記ダウンリンクスケジューラユニットは、前記伝送スケジューリング割り当てにおけるスケジューリングされる層２（Ｌ２）ブロックサイズを限定することによって、非同期ＨＡＲＱプロセスあたりの前記ソフトビットバッファサイズにおける変化に対処し、その結果、前記非同期ＨＡＲＱプロセスのための最大のスケジューリングされるＬ２ブロックサイズは、前記非同期ＨＡＲＱプロセスの前記ソフトビットバッファサイズに適応させられる、請求項１１に記載のシステム。
【請求項１３】
前記ユニットのうちの少なくとも１つは、前記ユニットの他のものから物理的に別個の場所に位置し、前記ユニットのうちの前記少なくとも１つは、バックホールを経由して、前記ユニットの前記他のものと通信し、前記システムは、ロングタームエボリューション（ＬＴＥ）システムである、請求項１〜１２のいずれか一項に記載のシステム。
【請求項１４】
前記ユニットのうちの少なくとも１つは、前記ユニットの他のものから物理的に別個の場所に位置し、バックホールを経由して、前記ユニットの前記他のものと通信する、請求項１に記載のシステム。
【請求項１５】
前記コントローラは、前記バックホールによってもたらされる任意の通信遅延にかかわらず、非同期ＨＡＲＱプロセスの第１の数を配分し、前記バックホールによってもたらされる任意の通信遅延に従って、非同期ＨＡＲＱプロセスの第２の数を配分する、請求項１４に記載のシステム。
【請求項１６】
前記ＵＥは、少なくとも第１のサービングセルおよび第２のサービングセルに接続され、前記コントローラは、前記第１のサービングセルに対して非同期ＨＡＲＱプロセスの前記第１の数を配分し、前記第２のサービングセルに対して非同期ＨＡＲＱプロセスの前記第２の数を配分する、請求項１５に記載のシステム。
【請求項１７】
前記システムは、ロングタームエボリューション（ＬＴＥ）システムである、請求項１６に記載のシステム。
【請求項１８】
ダウンリンク伝送機ユニットと、
アップリンク受信機ユニットと、
非同期ハイブリッド自動反復要求（ＨＡＲＱ）プロトコルを使用して、前記ダウンリンク伝送機ユニットとユーザ機器（ＵＥ）との間のダウンリンク伝送をスケジューリングするためのダウンリンクスケジューラユニットであって、前記ユニットのうちの少なくとも１つは、前記ユニットの他のものから物理的に別個の場所に位置し、バックホールを経由して、前記ユニットの前記他のものと通信する、ダウンリンクスケジューラユニットと、
前記ダウンリンク伝送機ユニットと前記ＵＥとの間の通信のための複数の非同期ＨＡＲＱプロセスを配分するコントローラと
を備え、
前記ＵＥに伝送するための前記ダウンリンク伝送機に対する前記ダウンリンクスケジューラユニットによって為される決定に応答して、伝送スケジューリング割り当てが前記ダウンリンク伝送機ユニットから前記ＵＥに送信され、
前記コントローラは、前記バックホールによってもたらされる任意の通信遅延にかかわらず、非同期ＨＡＲＱプロセスの第１の数を前記ＵＥに接続された第１のサービングセルに対して配分し、前記バックホールによってもたらされる任意の通信遅延に従って、非同期ＨＡＲＱプロセスの第２の数を前記ＵＥに接続された第２のサービングセルに対して配分し、
前記システムは、ロングタームエボリューション（ＬＴＥ）システムであり、
前記伝送スケジューリング割り当ては、前記コントローラによって配分される前記複数の非同期ＨＡＲＱプロセスに関連付けられている完全なまたは部分的なＨＡＲＱプロセス指数を含む、
システム。
【請求項１９】
ダウンリンク伝送機ユニット、ダウンリンクスケジューラユニット、およびアップリンク受信機ユニットを含むシステムにおいて非同期ハイブリッド自動反復要求（ＨＡＲＱ）プロセスの数を配分する方法であって、前記方法は、
非同期ハイブリッド自動反復要求（ＨＡＲＱ）プロトコルを使用して、前記ダウンリンク伝送機ユニットとユーザ機器（ＵＥ）との間のダウンリンク伝送をスケジューリングすることと、
前記ダウンリンク伝送機ユニットと前記ＵＥとの間の通信のための複数の非同期ＨＡＲＱプロセスを配分することと、
前記ＵＥに伝送するための前記ダウンリンク伝送機に対する前記ダウンリンクスケジューラユニットによって為される決定に応答して、伝送スケジューリング割り当てを前記ダウンリンク伝送機ユニットから前記ＵＥに送信することと
を含み、
前記伝送スケジューリング割り当ては、前記複数の配分非同期ＨＡＲＱプロセスに関連付けられている完全なまたは部分的なＨＡＲＱプロセス指数を含む、方法。
【請求項２０】
前記ＨＡＲＱプロセス指数は、前記完全なＨＡＲＱプロセス指数を備え、前記伝送スケジューリング割り当てにおけるＨＡＲＱプロセス指数ビットの数は、前記複数の配分非同期ＨＡＲＱプロセスを表すために必要とされるビットの数に等しい、請求項１９に記載の方法。
【請求項２１】
前記非同期配分ＨＡＲＱプロセスの異なる数に対して、コード化ビットにおいて前記伝送スケジューリング割り当ての同一のサイズ維持し、可変チャネルコーディングレートを使用して前記ＨＡＲＱプロセス指数に対する可変のビットの数を補償することをさらに含む、請求項２０に記載の方法。
【請求項２２】
可変チャネルコーディングレートを使用して前記ＨＡＲＱプロセス指数に対する可変のビットの数を補償することは、前記伝送スケジューリング割り当てに対して調節された数のリソースを配分すること、前記伝送スケジューリング割り当ての変調形式を変更すること、および前記伝送スケジューリング割り当ての伝送電力を変更することのうちの少なくとも１つを含む、請求項２１に記載の方法。
【請求項２３】
前記伝送スケジューリング割り当てにおける１つ以上の他のパラメータのビットの数を調節し、前記ＨＡＲＱプロセス指数の可変のビットの数を補償することによって、前記配分非同期ＨＡＲＱプロセスの異なる数に対して前記伝送スケジューリング割り当てにおける非コード化ビットの同一の数を維持することをさらに含む、請求項２０に記載の方法。
【請求項２４】
前記ＵＥは、複数のサービングセルに接続され、複数の非同期ＨＡＲＱプロセスを配分することは、前記コントローラが前記複数のサービングセルのうちの異なるサービングセルに対して前記非同期ＨＡＲＱプロセスの異なる数を配分することを含む、請求項１９に記載の方法。
【請求項２５】
前記ＨＡＲＱプロセス指数は、前記部分的なＨＡＲＱプロセス指数を備え、前記方法は、ＨＡＲＱプロセスの異なる数に対してＨＡＲＱプロセスを表すために、ＨＡＲＱプロセス指数ビットの固定された数を使用することをさらに含み、前記伝送スケジューリング割り当てにおけるＨＡＲＱプロセス指数ビットの前記固定された数は、前記複数の配分非同期ＨＡＲＱプロセスを表すために必要とされるビットの数より小さい、請求項１９に記載の方法。
【請求項２６】
前記伝送スケジューリング割り当てにおいて受信される前記部分的なＨＡＲＱプロセス指数を前に使用された１つ以上のＨＡＲＱプロセス指数と結合することによって、前記ＵＥが前記ＨＡＲＱプロセス指数を得ることをさらに含む、請求項２５に記載の方法。
【請求項２７】
前記ＵＥは、ソフトビットバッファを含み、前記方法は、非同期ＨＡＲＱプロセスの異なる数に対して、前記配分非同期ＨＡＲＱプロセスの全てに対して同一の合計ソフトビットバッファサイズを前記ＵＥにおいて維持し、前記非同期ＨＡＲＱプロセスの異なる数に対して、非同期ＨＡＲＱプロセスあたりの前記ソフトビットバッファサイズを変化させることをさらに含む、請求項１９に記載の方法。
【請求項２８】
前記ユニットのうちの少なくとも１つは、前記ユニットの他のものから物理的に別個の場所に位置し、バックホールを経由して、前記ユニットの前記他のものと通信する、請求項１９に記載の方法。
【請求項２９】
配分することは、前記バックホールによってもたらされる任意の通信遅延にかかわらず、非同期ＨＡＲＱプロセスの第１の数を配分し、前記バックホールによってもたらされる任意の通信遅延に従って、非同期ＨＡＲＱプロセスの第２の数を配分することを含む、請求項２８に記載の方法。
【請求項３０】
ダウンリンク伝送機ユニット、ダウンリンクスケジューラユニット、およびアップリンク受信機ユニットを含むロングタームエボリューション（ＬＴＥ）システムにおいて非同期ハイブリッド自動反復要求（ＨＡＲＱ）プロセスの数を配分する方法であって、前記ユニットのうちの少なくとも１つは、前記ユニットの他のものから物理的に別個の場所に位置し、前記ユニットのうちの前記少なくとも１つは、バックホールを経由して、前記ユニットの前記他のものと通信し、前記方法は、
非同期ＨＡＲＱプロセスのためのブロックを再伝送することにおいて、前記バックホールによってもたらされる遅延を決定することと、
各ブロックを用いてＨＡＲＱプロセス指数を伝送することであって、前記ＨＡＲＱプロセス指数は、前記ブロックに関連付けられている前記非同期ＨＡＲＱプロセスを識別する、ことと、
前記遅延に基づいて、追加のプロセスを配分することと
を含む、方法
【請求項３１】
前記ＨＡＲＱプロセス指数は、暗示的時間関連付けによって、または、増分関連付けによって、前記非同期ＨＡＲＱプロセスを識別する、請求項３０に記載の方法。
【手続補正２】
【補正対象書類名】明細書
【補正対象項目名】００１６
【補正方法】変更
【補正の内容】
【００１６】
本発明のさらなる特徴および利点ならびに本発明の種々の実施形態の構造および動作が、付随の図面を参照して下記に詳細に説明される。
本発明はさらに、例えば、以下を提供する。
（項目１）
ダウンリンク伝送機ユニットと、
ダウンリンクスケジューラユニットと、
アップリンク受信機ユニットであって、前記ユニットのうちの少なくとも１つは、前記ユニットの他のものから物理的に別個の場所に位置し、前記ユニットのうちの前記少なくとも１つは、バックホールを経由して、前記ユニットの他のものと通信する、アップリンク受信機ユニットと、
前記バックホールによってもたらされる任意の通信遅延に従って、ハイブリッド自動反復要求（ＨＡＲＱ）プロセスの数を配分するコントローラと
を備えている、システム。
（項目２）
前記ダウンリンク伝送機ユニットは、第１のネットワークノードに位置し、
前記ダウンリンクスケジューラユニットは、前記第１のネットワークノードから物理的に分離された第２のネットワークノードに位置し、
前記アップリンク受信機ユニットは、前記第１のネットワークノードおよび第２のネットワークノードから物理的に分離された第３のネットワークノードに位置している、
項目１に記載のシステム。
（項目３）
各ノードは、前記バックホールを経由して、少なくとも１つの他のノードと通信する、項目２に記載のシステム。
（項目４）
各ノードは、前記バックホールを経由して、前記他のノードの各々と通信する、項目２に記載のシステム。
（項目５）
前記コントローラは、前記バックホールによってもたらされる任意の通信遅延にかかわらず、ＨＡＲＱプロセスの第１の数を配分し、前記バックホールによってもたらされる任意の通信遅延に従って、ＨＡＲＱプロセスの第２の数を配分する、項目１に記載のシステム。
（項目６）
前記コントローラは、プロセスのためのブロックの最初の伝送から前記プロセスのためのブロックの次の伝送までの経過時間を測定することによって、ＨＡＲＱプロセスの前記数を配分する、項目１に記載のシステム。
（項目７）
前記コントローラは、前記プロセスに配分された時間によって、前記プロセスのための前記最初の伝送から前記第２の伝送までの前記経過時間を割ることによって、前記ＨＡＲＱプロセスの数を配分する、項目６に記載のシステム。
（項目８）
前記コントローラは、プロセスの少なくとも最小の正常数を配分する、項目７に記載のシステム。
（項目９）
前記伝送機ユニットは、ＨＡＲＱプロセス指数とともにプロセスのためのブロックを伝送し、前記ＨＡＲＱプロセス指数は、前記ブロックに関連付けられている前記プロセスを識別する、項目１に記載のシステム。
（項目１０）
前記ＨＡＲＱプロセス指数は、暗示的時間関連付けによって、前記プロセスを識別する、項目９に記載のシステム。
（項目１１）
前記ＨＡＲＱプロセス指数は、増分関連付けによって、前記プロセスを識別する、項目９に記載のシステム。
（項目１２）
ダウンリンク伝送機ユニット、ダウンリンクスケジューラユニット、およびアップリンク受信機ユニットを含むシステムにおけるハイブリッド自動反復要求（ＨＡＲＱ）プロセスの数を配分する方法であって、前記ユニットのうちの少なくとも１つは、前記ユニットの他のものから物理的に別個の場所に位置し、前記ユニットのうちの前記少なくとも１つは、バックホールを経由して、前記ユニットの他のものと通信し、前記方法は、
ＨＡＲＱプロセスのためのブロックを再伝送することにおいて、前記バックホールによってもたらされる遅延を決定することと、
前記遅延に基づいて、追加のプロセスを配分することと
を含む、方法。
（項目１３）
前記決定することは、プロセスのためのブロックの最初の伝送から前記プロセスのためのブロックの次の伝送までの経過時間を測定することを含む、項目１に記載の方法。
（項目１４）
前記プロセスに配分された時間によって割られた、前記プロセスのための前記最初の伝送から前記第２の伝送までの前記経過時間に少なくとも等しいＨＡＲＱプロセスの数を配分することをさらに含む、項目１３に記載の方法。
（項目１５）
配分されたＨＡＲＱプロセスの前記数は、少なくとも最小の正常数である、項目１４に記載の方法。
（項目１６）
各ブロックとともに、そのブロックに関連付けられている前記プロセスを識別するＨＡＲＱプロセス指数を伝送することをさらに含む、項目１２に記載のシステム。
（項目１７）
前記ＨＡＲＱプロセス指数は、暗示的時間関連付けによって、前記プロセスを識別する、項目１６に記載の方法。
（項目１８）
前記ＨＡＲＱプロセス指数は、増分関連付けによって、前記プロセスを識別する、項目１６に記載の方法。
【国際調査報告】
2016518746.tif 000010